(57)【特許請求の範囲】
【請求項１】
所要の間隔を存して配設された左右の可動フレームに夫々、内方に突出させて、外周部を円周方向に複数に分割し、リンクを介して拡縮可能なコアを左右２分して互いに対向させて回転可能に軸着すると共に、左右の可動フレーム間にエアシリンダなどよりなる伸縮機構を介装してなる巻取装置を用い、伸縮機構の作動により２分された左右の拡縮コアを互いに突き当てることによりリンクを起立させ、コアを拡大させて巻取りを行い、巻取りの進行に伴って巻ロールの締付圧が上昇し、該締付圧が前記リンクによるコア拡大力を上回るに伴ってリンクを倒伏させ、コアを収縮させることにより前記締付圧を減少させると共に、巻取り終了後、伸縮機構の作動により突き当たっている互いのコアを分離し、後退させてウエブが巻かれた巻ロールをコアより外すことを特徴とするウエブ巻取り方法。
【請求項２】
拡縮コアが許容を越えて収縮するとセンサーが検知する請求項１記載のウエブ巻取り方法。
【請求項３】
所要の間隔を存して互いに対向して配設されたフレームを有し、該フレームはエアシリンダなどよりなる伸縮機構により両者間の間隔が広狭可能に保持された可動フレームであって、夫々内方に突出させて外周部を円周方向に複数に分割し、リンクを介して拡縮可能なコアを左右２分し、互いに対向させて回転可能に軸着してなり、上記２分された左右の拡縮コアは伸縮機構の作動により互いに突き当てられることによりリンクを起立させ、コアを拡大させて巻取りを行わしめると共に、巻取りの進行に伴って締付圧がリンクによるコア拡大力を上回るに伴ってリンクを倒伏させコアを収縮させるように構成されていることを特徴とするウエブ巻取装置。
【請求項４】
拡縮コアの２分された各コア外周が先端側より基端側に向かって広がる５〜１５°のテーパを有している請求項３記載のウエブ巻取装置。
【請求項５】
拡縮コアが許容を越えて収縮すると検知するセンサーを有している請求項３または４記載のウエブ巻取装置。
【発明の詳細な説明】
【技術分野】
【０００１】
本発明はウエブの巻取り方法及び装置、特に紙管等の巻芯を有しないコアレスウエブロールを得る巻取り方法及び装置に関し、就中、スリッタを用いて広巾ウエブを複数の狭巾ウエブに分割するとき、両端部でスリットされ切り取られた、通常、耳と称するリボン状のウエブを巻取り再生するのに好適な巻芯のないウエブロールを得る巻取り方法及び装置に関する。
【背景技術】
【０００２】
広巾のウエブをスリット刃によって所要幅の複数の狭巾ウエブに分割切断するウエブの巻取りにおいて、スリット刃で複数の狭巾ウエブに切断するとき、広巾ウエブの両端に細巾リボン状の耳屑（以後単に耳と称する）が生じ、これが中間部の狭巾ウエブ製品とは別に耳巻取装置で巻き取られてその後、再活用のため再生処理に付されている。
【０００３】
しかし、この耳巻取装置で巻き取られた耳巻ロールを再生処理する場合、紙管などの巻芯を用いて巻いたものは巻芯と分離するため巻戻さなければならないが、耳巻取装置をコアレスにすると耳巻ロールに巻芯がないため巻き戻す必要がないので、近時、コアレス耳巻取装置による巻取りが考究され、本出願人においてもコアレスに巻取る方法を先に提案した。（例えば特許文献１参照）
このコアレス巻取り方法はシャフトの外周部を円周方向に複数分割した拡縮可能なバーで形成した巻芯シャフトの外周に着脱容易な簡易巻芯を装着し、拡大状態で固定して、該簡易巻芯外周にウエブ（耳）を巻き付け、巻き取った後、巻芯シャフトの外径を縮小して簡易巻芯に巻き取ったウエブロール（耳巻ロール）より簡易巻芯を抜き取り、ウエブロール（耳巻ロール）のみとするかせ巻き方式の方法である。
【特許文献１】特開２０００−１８５８５３号公報
【発明の開示】
【発明が解決しようとする課題】
【０００４】
しかしながら、上記提案に係る巻取りはウエブの材質にもよるが、耳巻ロール内部の巻芯にかかる締付圧は非常に強力で、しかも巻取張力や巻取長さに比例して強くなるため、強度上の制限があり、あまり長く、大きく巻くことができず、実用上の問題を有していた。
【０００５】
本発明は上述の如き実状に対処し、特に巻芯に係る締付圧の緩和をはかるべく拡縮コア（巻芯シャフト）の拡大状態を固定することなしにエアシリンダ等で拡がる構造にすることにより、耳を巻取るに従って上昇する締付圧がエアシリンダ等による拡縮コアを拡大させる力を上回ったとき、コアを収縮させてコアにかかる力を緩和させ、耳を大きく巻くことを可能ならしめることを目的とするものである。
【課題を解決するための手段】
【０００６】
即ち、上記目的に適合する本発明巻取り方法は、所要の間隔を存して配設された左右の可動フレームに夫々、内方に突出させて、外周部を円周方向に複数に分割しリンクを介して拡縮可能なコアを左右２分し、互いに対向させて、回転可能に軸着すると共に、左右の可動フレーム間にエアシリンダ等よりなる伸縮機構を介装してなる巻取装置を用い、伸縮機構の作動により２分された左右の拡縮部を互いに突き当てることによりリンクを起立させ、コアを拡大させて巻取りを行い、巻取りの進行に伴って巻ロールの締付圧が上昇し、該締付圧が前記リンクによるコア拡大力を上回るに伴ってリンクを倒伏させコアを収縮させることにより前記締付圧を減少させると共に、巻取り終了後、伸縮機構の作動により突き当たっている互いのコアを分離し、後退させてウエブが巻かれた巻ロールをコアより外すことを特徴とする。なお、拡縮コアが許容を超えて収縮するとセンサーが検知するようにしておくことが好ましい。
また、請求項３は上記ウエブの巻取り方法を実施する装置であり、所要の間隔を存して互いに対向して配設されたフレームを有し、該フレームはエアシリンダなどよりなる伸縮機構により両者間の間隔が広狭可能に保持された可動フレームであって、夫々内方に突出させて外周部を円周方向に複数に分割し、リンクを介して拡縮可能なコアを左右２分し、互いに対向させて回転可能に軸着してなり、上記２分された左右の拡縮コアは伸縮機構の作動により互いに突き当てられることによりリンクを起立させ、コアを拡大させて巻取りを行わしめると共に、巻取りの進行に伴って締付圧がリンクによるコア拡大力を上回るに伴ってリンクを倒伏させコアを収縮させる構成からなる。
なお、上記装置において拡縮コアとして２分された各コア外周を先端側より基端側に向かって５〜１５°の上向きテーパを有する構成とすることは巻ロール取り出し上、好適である。また、拡縮コアが許容を超えて収縮したとき、これを検知するセンサーを付設せしめておくことも効果的である。
【発明の効果】
【０００７】
本発明は以上のようにリンクにより拡縮可能なコアを左右に分け、エアシリンダ等により作動させて突き当てることによりリンクを起立させてコアを拡大し、この拡大状態をエアシリンダ等によって維持すると共に巻取りによる巻ロールの締付圧によって該締付圧がコア拡大力を上回るに伴いリンクが倒伏しコアが収縮され、コアが収縮するとコア付近のウエブの張力が低下もしくは座屈し、締付圧が低下減少し、さらに巻き進むと同様の状態が繰り返されるが、ある程度コアが収縮すると、コア付近の巻ロールの剛性が高まって、あるいはコアまで締付圧が伝わらない程、巻き太ってコアが収縮しなくなると巻取りを終わり、伸縮機構を作動して突き当たっているコアを分離し、後退させるので従来のように拡縮コアの拡大状態を機械的に固定するのと異なり、エアシリンダ等による拡がりと共にリンクにより締付圧を緩和させることができ、コアの拡縮が円滑になり、紙管等を用いることなくウエブや耳だけの巻取りを容易にし、その取り出しを簡易化することができる。なお、２分された各コア外周が先端側より基端側に上向き傾斜を有するときはより取り出しが容易である
また、上述の如く、ある程度コアが収縮するとコア付近の巻ロールなどの剛性が高まり、コアまで締付圧が伝わらない程、巻き太るので結果としてウエブや耳を大きく巻くことができる効果がある。
【発明を実施するための最良の形態】
【０００８】
以下、更に添付図面を参照し、本発明の具体的態様について説明する。図１〜２は本発明方法を実施する巻取装置の1例で、図において１はレール２に沿って移動可能な可動フレームであり、適宜、所要の間隔を存して左右に対向して配設されており、両可動フレーム間にはエアシリンダからなる伸縮機構３が亘設されていて、その伸縮作動により両フレーム間の間隔を巻取り時には狭く（図１）、また、取出し時には広く（図２）広狭可能に保持し得るようになっている。
【０００９】
これら両可動フレーム１には夫々、 ベアリング１０で回動可能に支承された巻取軸１１が左右対向して巻取枠９を通し内方に突設されており、夫々の先端部外周にコイルバネ８を介して巻取ドラム（以後、コアと称する）５が装着されている。そして一方の巻取軸、図では左方の巻取軸のみがモータ４に連動された伝動プーリ１２を介し回転駆動が付与されている。
【００１０】
巻取ドラム５（コア）は外周部を複数に分割されたバー６がリンク機構の如き拡縮機構７を有してリンクの起立によりコア径を拡大し（第１図（ロ）参照）、リンク機構の倒伏によりコア径が縮小（第２図（ロ）参照）して拡縮可能なる如く形成されていると共に、通常のコアが巻き幅の長さであるのに対し、図示の如く巻き幅を２分した長さとなっていて、２分された長さで左右夫々の巻取軸１１外周に巻取枠９に対しコイルバネ８を介して装着されている。そして、左右の可動フレーム１が移動し、夫々のフレームの巻取軸１１に装着された拡縮コア５は、これを突き当てると夫々のコア５のリンク７が起立してコア径を拡大し、巻取りを可能とすると共に、巻取りに従って締付圧が上昇し、この締付圧がエアシリンダ及びリンク機構による拡大力を上回るとリンクは次第に倒伏し、コア径を収縮させると共に、コアが収縮するとコア付近の張力が低下もしくは座屈し、締付圧が減少し、さらに巻くと同様な状態が繰り返されてある程度までコアが収縮し、コアに大きな力が働かなくなると、コア外周に巻かれた巻きロールＲの抜き取りを容易にし、巻取り終了と共に更にエアシリンダ等の伸縮機構３の作動により可動フレーム１を後退させると、コア５は左右に分離され両者の間で巻き取った巻きロールＲがコア５より外れ易くなる。
【００１１】
なお、図１，２においては伸縮機構としてエアシリンダ３が図示されているが、エアシリンダに限らず、例えば図３に示すようにネジ機構１３を配してモータ１４による正逆回動によっても可能であり、更にバネの如き機構を介設しても同様であり、何れも本発明の含むところである。また、コアの複数に分割されたバー６に左右夫々先端側より基端側に向かって５〜１５°広がるテーパを設け、コア外周に傾きを付与することも好適である。
次に以上のような巻取装置を用いて本発明に係る巻取りを行うには、先ず図１に示すように可動アーム開閉用エアシリンダ３を作動させて各可動アームを内方に移動させると左右のコア５の先端が突き当たりリンクの起立により既知の手段によって広巾のウエブがスリット刃によって分割切断された狭巾ウエブあるいは複数のウエブに分割切断するとき、広巾ウエブの両端縁に生じた耳ウエブを巻き取る。このとき、拡縮コア５の拡大状態は機械的に固定されることなく、リンク機構とエアシリンダあるいはバネで保持される。
【００１２】
そして、上記ウエブＷを巻き取るに従って、コアにかかる締付圧が上昇し、その締付圧がリンクとエアシリンダなど伸縮機構によるコアを拡大せさる力を上回ると、コア内のリンクが倒伏を始め、少し収縮する。コアが収縮するとコア付近の張力が低下又は座屈して、締付圧が減少し、更に巻き進むと同様の状態が繰り返され、、ある程度コアが収縮すると、コア付近の巻ロールの剛性が高まり、コアまで締付圧が伝わらない程、巻き太ってコアが収縮しなくなる。
【００１３】
このようにしてコアが収縮し、締付圧が働かなくなるとシリンダ等の伸縮機構を作動させると図２に示すように、左右の可動フレーム間の間隔が広がり、同時に収縮したコアが巻ロールＲから抜かれ、巻ロールがコア５から外れ、紙管等のコアを有しない巻ロールが得られる。なお、コア外周が前記によるテーパを有しているときは、より巻ロールの取り出しが容易である。
【００１４】
以上のようにしてコアの拡縮が円滑になり、コアレス巻ロールを容易に取り出すことができる。なお、本発明はスリッタにより分割切断された狭巾ウエブの巻取り及び分割切断時のウエブ端部の耳巻取りに使用される外、一般のウエブ巻取りに使用することも可能である。
【図面の簡単な説明】
【００１５】
【図１】巻取装置のコアにウエブを巻いている状態の要部内部構造を示す正面概要図である。
【図２】図１のウエブ巻き取りを終わり、巻ロールを外す状態の要部内部構造を示す正面概要図である。
【図３】伸縮機構にネジを利用した本発明に使用可能な他の巻取装置例に係る正面概要図である。
【図４】外周にテーパを有するコア使用状態を示す概要図である。
【符号の説明】
【００１６】
１：可動フレーム
２：レール
３：エアシリンダ（伸縮機構）
４：巻取駆動モータ
５：拡縮コア（巻取ドラム）
６：バー
７：リンク
８：コイルバネ
９：巻取枠
１０：ベアリング
１１：巻取軸
１２：プーリ
【図１】
0004956376.tif 000002
【図２】
0004956376.tif 000003
【図３】
0004956376.tif 000004
【図４】
0004956376.tif 000005